(57)【要約】【課題】所定の間隔でアークホーンを碍子装置に取り付けることができるアークホーン取付調整補助装置を提供する。【解決手段】取付調整補助装置１０は、第１および第２の固定取付パイプ１１1，１１2の外周面にそれぞれ取り付けられたかつ地側アークホーン１を把持するための第１および第３の把持部材２０1，２０3と、第１および第２の可動取付パイプ１２1，１２2の外周面にそれぞれ取り付けられたかつ線側アークホーン２を把持するための第２および第４の把持部材２０2，２０4とを備える。第１および第２の可動取付パイプ１２1，１２2は、線地側アークホーン１と線側アークホーン２とのアークホーン間隔が所定の間隔となるように、第１および第２の目盛付パイプ１３1，１３2の長手方向に沿って一体的にスライド可能とされている。【選択図】図１
2012095452.tif 000002
【特許請求の範囲】
【請求項１】
第１および第２のアークホーン（１，２）を碍子装置（１１０）に所定の間隔で取り付けるためのアークホーン取付調整補助装置（１０）であって、
前記第１のアークホーンを把持するための第１の把持部材（２０1）が外周面に取り付けられた第１の固定取付パイプ（１１1）と、
一端部が前記第１の固定取付パイプの一端部に固定された第１のパイプ（１３1）と、
該第１のパイプの長手方向に沿ってスライド可能なように該第１のパイプの他端側に取り付けられた、かつ、前記第２のアークホーンを把持するための第２の把持部材（２０2）が外周面に取り付けられた第１の可動取付パイプ（１２1）と、
前記第１のアークホーンを把持するための第３の把持部材（２０3）が外周面に取り付けられた第２の固定取付パイプ（１１2）と、
一端部が前記第２の固定取付パイプの一端部に固定された第２のパイプ（１３2）と、
該第２のパイプの長手方向に沿ってスライド可能なように該第２のパイプの他端側に取り付けられた、かつ、前記第２のアークホーンを把持するための第４の把持部材（２０4）が外周面に取り付けられた第２の可動取付パイプ（１２2）と、
前記第１の固定取付パイプの前記一端と前記第２の固定取付パイプの前記一端とが揃うように該第１の固定取付パイプと該第２の固定取付パイプとを連結するための第１の連結部材（１５1）と、
前記第１の可動取付パイプの前記第１のパイプ側の端と前記第２の可動取付パイプの前記第２のパイプ側の端とが揃うように該第１の可動取付パイプと該第２の可動取付パイプとを連結するための第２の連結部材（１５2）とを具備する、
ことを特徴とする、アークホーン取付調整補助装置。
【請求項２】
前記第１の可動取付パイプの前記第１のパイプ側の端部の外周面に取り付けられた、かつ、該第１の可動取付パイプの該第１のパイプ側の端部の内周面を該第１のパイプの外周面に圧着させて該第１の可動取付パイプを該第１のパイプに固定するための第１の固定つまみ（１４1）と、
前記第２の可動取付パイプの前記第２のパイプ側の端部の外周面に取り付けられた、かつ、該第２の可動取付パイプの該第２のパイプ側の端部の内周面を該第２のパイプの外周面に圧着させて該第２の可動取付パイプを該第２のパイプに固定するための第２の固定つまみ（１４2）と、
をさらに具備することを特徴とする、請求項１記載のアークホーン取付調整補助装置。
【請求項３】
前記第１および第２のパイプの外周面に、前記第１および第２のアークホーンを前記碍子装置に所定の間隔で取り付けるための目盛（Ａ〜Ｃ）が記されていることを特徴とする、請求項１または２記載のアークホーン取付調整補助装置。
【請求項４】
前記第１乃至第４の把持部材が、前記第１および第２のパイプと前記第１および第２の連結部材とによって囲まれる平面に対して垂直な軸を回転軸として回転可能なように前記第１の固定取付パイプ、前記第１の可動取付パイプ、前記第２の固定取付パイプおよび前記第２の可動取付パイプの外周面にそれぞれ取り付けられていることを特徴とする、請求項１乃至３いずれかに記載のアークホーン取付調整補助装置。
【請求項５】
前記第１の把持部材が、
開閉可能な２つ割りのリング部材を閉じたときに互いに対向するように２つの延長板が該リング部材の両端にそれぞれ取り付けられた把持本体（２１1）と、
前記リング部材を閉じて前記第１のアークホーンを該リング部材に貫通させたのちに該把持本体の前記２つの延長板を圧着させて該第１のアークホーンを把持するための蝶ネジ（２２1）と、
前記リング部材が回転可能なように一端が該リング部材の外周面に取り付けられるとともに他端が前記第１の固定取付パイプの外周面に取り付けられた回転軸（２３1）とを備え、
前記第２乃至第４の把持部材が前記第１の把持部材と同様に構成されている、
ことを特徴とする、請求項１乃至４いずれかに記載のアークホーン取付調整補助装置。
【発明の詳細な説明】
【技術分野】
【０００１】
本発明は、架空送電線路への雷撃による碍子や架空送電線の破損を回避するためのアークホーンを碍子装置に取り付けるのに好適なアークホーン取付調整補助装置に関する。
【背景技術】
【０００２】
架空送電線は碍子装置を介して送電鉄塔に支持されるが、雷撃によって碍子や架空送電線が破壊すると送電中止となる。そのため、雷撃から碍子や架空送電線を保護するために、碍子装置にはアークホーンが取り付けられている（下記の特許文献１参照）。
【０００３】
たとえば、図４に示すように、地側アークホーン１および線側アークホーン２は、碍子装置１１０を挟む形で地側支持部材１１１および線側支持部材１１２にボルト１１３とナット（不図示）とで取り付けられる。
ここで、絶縁間隔は地側アークホーン１の先端と線側アークホーン２の先端との間隔（以下、「アークホーン間隔」と称する。）が最小となるため、作業員は、地側アークホーン１および線側アークホーン２を碍子装置１１０に取り付けたのちにアークホーン間隔を測定して、アークホーン間隔が設計値の許容値範囲内に入っているか否かを確認している。
【０００４】
また、碍子装置１１０は塩害防止が主目的であるために碍子装置１１０の碍子連数は設置場所の塩害区分によって決められているのに対して、アークホーン間隔の設計値は雷害防止を主目的として決められているため、アークホーン間隔は碍子装置１１０の碍子連数に１：１で対応しているわけではない。
たとえば、６６ｋＶアークホーンについてアークホーン間隔の設計値が６５０ｍｍである場合でも、碍子連数が６個の場合にはアークホーン間隔は６３９ｍｍ、碍子連数が７個の場合にはアークホーン間隔は６３７ｍｍ、碍子連数が８個の場合にはアークホーン間隔は６３５ｍｍ、碍子連数が９個の場合にはアークホーン間隔は６３１ｍｍ、碍子連数が１０個の場合にはアークホーン間隔は６３１ｍｍとなる。
そのため、碍子連数に応じてアークホーン間隔を微調整する必要が生じる場合もある。
【０００５】
なお、下記の特許文献２には、自走式不良碍子検出器を使用することができる主ホ−ン先端側が傾斜部である地側アークホーンを大型化することなしに地側アークホーンにアークホーン間隔調整機能（ホーン絶縁間隔調整機能）を付与するように、地側２連ヨークに複数の主ホーン取付孔を耐張碍子装置軸線と平行に配列するとともに、主ホーンの傾斜部の中間に耐張碍子装置軸線と平行の板部を垂設し、この板部に補強用ホーンの上端を着脱自在に取り付けるための複数のボルト孔を地側２連ヨークの上面と平行にかつ耐張碍子装置軸線方向の主ホーン取付孔と等ピッチで配列した導体耐張碍子装置用地側アークホーンが開示されている。
下記の特許文献３には、アークホーン間隔（ホーン絶縁間隔）を容易に調整できるように、耐張碍子連の一方の端部側に設けられる線側主ホーンと、耐張碍子連の他方の端部側に設けられる地側主ホーンとからなるアークホーンであって、線側主ホーンおよび地側主ホーンのいずれか一方または両方が耐張碍子連の端部側に固定される固定部と、相手の主ホーンに対して接近しまたは離れるように伸縮自在にその固定部に設けられた可動部とからなる、耐張碍子装置のアークホーンが開示されている。
【先行技術文献】
【特許文献】
【０００６】
【特許文献１】特開２００９−０３２４２３号公報
【特許文献２】特開平１１−０３９９７１号公報
【特許文献３】特開２００１−１２６５６３号公報
【発明の概要】
【発明が解決しようとする課題】
【０００７】
しかしながら、地側アークホーン１および線側アークホーン２を碍子装置１１０に取り付けたのちに測定したアークホーン間隔が設計値の許容値範囲内に入っていない場合やアークホーン間隔を微調整する必要が生じた場合には、ボルト１１３とナットとを緩めて地側アークホーン１および線側アークホーン２の碍子装置１１０への取付を再度行うことになるが、アークホーン間隔の測定は架線工事に足場として使用する架線梯子などを撤去して通常の状態で行うため、地側アークホーン１および線側アークホーン２の碍子装置１１０への取付を再度行うことはかなりの手間であるとともに、足場を確保していないと作業員が危険であるという問題があった。
【０００８】
本発明の目的は、所定の間隔でアークホーンを碍子装置に取り付けることができるアークホーン取付調整補助装置を提供することにある。
【課題を解決するための手段】
【０００９】
本発明のアークホーン取付調整補助装置は、第１および第２のアークホーン（１，２）を碍子装置（１１０）に所定の間隔で取り付けるためのアークホーン取付調整補助装置（１０）であって、前記第１のアークホーンを把持するための第１の把持部材（２０1）が外周面に取り付けられた第１の固定取付パイプ（１１1）と、一端部が前記第１の固定取付パイプの一端部に固定された第１のパイプ（１３1）と、該第１のパイプの長手方向に沿ってスライド可能なように該第１のパイプの他端側に取り付けられた、かつ、前記第２のアークホーンを把持するための第２の把持部材（２０2）が外周面に取り付けられた第１の可動取付パイプ（１２1）と、前記第１のアークホーンを把持するための第３の把持部材（２０3）が外周面に取り付けられた第２の固定取付パイプ（１１2）と、一端部が前記第２の固定取付パイプの一端部に固定された第２のパイプ（１３2）と、該第２のパイプの長手方向に沿ってスライド可能なように該第２のパイプの他端側に取り付けられた、かつ、前記第２のアークホーンを把持するための第４の把持部材（２０4）が外周面に取り付けられた第２の可動取付パイプ（１２2）と、前記第１の固定取付パイプの前記一端と前記第２の固定取付パイプの前記一端とが揃うように該第１の固定取付パイプと該第２の固定取付パイプとを連結するための第１の連結部材（１５1）と、前記第１の可動取付パイプの前記第１のパイプ側の端と前記第２の可動取付パイプの前記第２のパイプ側の端とが揃うように該第１の可動取付パイプと該第２の可動取付パイプとを連結するための第２の連結部材（１５2）とを具備することを特徴とする。
ここで、前記第１の可動取付パイプの前記第１のパイプ側の端部の外周面に取り付けられた、かつ、該第１の可動取付パイプの該第１のパイプ側の端部の内周面を該第１のパイプの外周面に圧着させて該第１の可動取付パイプを該第１のパイプに固定するための第１の固定つまみ（１４1）と、前記第２の可動取付パイプの前記第２のパイプ側の端部の外周面に取り付けられた、かつ、該第２の可動取付パイプの該第２のパイプ側の端部の内周面を該第２のパイプの外周面に圧着させて該第２の可動取付パイプを該第２のパイプに固定するための第２の固定つまみ（１４2）とをさらに具備してもよい。
前記第１および第２のパイプの外周面に、前記第１および第２のアークホーンを前記碍子装置に所定の間隔で取り付けるための目盛（Ａ〜Ｃ）が記されていてもよい。
前記第１乃至第４の把持部材が、前記第１および第２のパイプと前記第１および第２の連結部材とによって囲まれる平面に対して垂直な軸を回転軸として回転可能なように前記第１の固定取付パイプ、前記第１の可動取付パイプ、前記第２の固定取付パイプおよび前記第２の可動取付パイプの外周面にそれぞれ取り付けられていてもよい。
前記第１の把持部材が、開閉可能な２つ割りのリング部材を閉じたときに互いに対向するように２つの延長板が該リング部材の両端にそれぞれ取り付けられた把持本体（２１1）と、前記リング部材を閉じて前記第１のアークホーンを該リング部材に貫通させたのちに該把持本体の前記２つの延長板を圧着させて該第１のアークホーンを把持するための蝶ネジ（２２1）と、前記リング部材が回転可能なように一端が該リング部材の外周面に取り付けられるとともに他端が前記第１の固定取付パイプの外周面に取り付けられた回転軸（２３1）とを備え、前記第２乃至第４の把持部材が前記第１の把持部材と同様に構成されていてもよい。
【発明の効果】
【００１０】
本発明のアークホーン取付調整補助装置は、以下の効果を奏する。
（１）アークホーン取付調整補助装置を使用することによりアークホーン間隔を所定の間隔に保った状態で第１および第２のアークホーンを碍子装置に取り付けることができる。
（２）アークホーン取付後のアークホーン間隔の調整が不要となるため、施工時間の短縮化を図ることができる。
（３）アークホーンの再取付も不要となるため、安全性の向上を図ることができる。
【図面の簡単な説明】
【００１１】
【図１】本発明の一実施例によるアークホーン取付調整補助装置１０の構成を示す図であり、（ａ）はアークホーン取付調整補助装置１０の正面図であり、（ｂ）および（ｃ）は第１乃至第４の把持部材２０1〜２０4の機能を説明するための図である。
【図２】図１に示した第１乃至第４の把持部材２０1〜２０4の機能について説明するための図である。
【図３】図１に示したアークホーン取付調整補助装置１０の使用方法について説明するための図である。
【図４】雷撃から碍子や架空送電線を保護するために碍子装置に取り付けられているはアークホーンの一例について説明するための図である。
【発明を実施するための形態】
【００１２】
上記の目的を、第１の固定取付パイプの外周面に取り付けられた第１の把持部材と第２の固定取付パイプの外周面に取り付けられた第３の把持部材とで地側アークホーンを把持するとともに第１の可動取付パイプの外周面に取り付けられた第２の把持部材と第２の可動取付パイプの外周面に取り付けられた第４の把持部材とで線側アークホーンを把持し、地側アークホーンと線側アークホーンとの間隔が所定の間隔となるように第１および第２の可動取付パイプを一体的に第１および第２のパイプの長手方向に沿ってスライド可能となるようにアークホーン取付調整補助装置を構成することにより実現した。
【実施例１】
【００１３】
以下、本発明のアークホーン取付調整補助装置の実施例について図面を参照して説明する。
本発明の一実施例によるアークホーン取付調整補助装置１０（以下、「取付調整補助装置１０」と称する。）は、図１（ａ）に示すように、第１および第２の固定取付パイプ１１1，１１2と、第１および第２の可動取付パイプ１２1，１２2と、第１および第２の目盛付パイプ１３1，１３2と、第１および第２の固定つまみ１４1，１４2と、第１および第２の連結部材１５1，１５2と、第１乃至第４の把持部材２０1〜２０4とを具備する。
なお、以下の説明では、第１および第２の固定取付パイプ１１1，１１2と第１および第２の可動取付パイプ１２1，１２2と第１および第２の目盛付パイプ１３1，１３2との図１図示左側の端を「先端」と称し、同図図示右側の端を「末端」と称する。
【００１４】
ここで、第１および第２の固定取付パイプ１１1，１１2の先端部は第１および第２の目盛付パイプ１３2，１３2の末端部にそれぞれ固定されている。
また、第１の固定取付パイプ１１1は第２の固定取付パイプ１１2よりも短くされているが、第１および第２の固定取付パイプ１１1，１１2は、両端部が第１および第２の固定取付パイプ１１1，１１2の先端部にそれぞれ取り付けられた第１の連結部材１５1によって、第１および第２の固定取付パイプ１１1，１１2の先端が揃うように連結されている。
【００１５】
第１の可動取付パイプ１２1は、第１の目盛付パイプ１３1の長手方向に沿ってスライド可能なように第１の目盛付パイプ１３1に取り付けられている。また、第１の可動取付パイプ１２1の末端部の外周面に取り付けられた第１の固定つまみ１４1を回すことにより第１の可動取付パイプ１２1の末端部の内周面を第１の目盛付パイプ１３1の先端部の外周面に圧着させて、第１の可動取付パイプ１２1を第１の目盛付パイプ１３1に固定できるようにされている。
同様に、第２の可動取付パイプ１２2は、第２の目盛付パイプ１３2の長手方向に沿ってスライド可能なように第２の目盛付パイプ１３2に取り付けられている。また、第２の可動取付パイプ１２2の末端部の外周面に取り付けられた第２の固定つまみ１４2を回すことにより第２の可動取付パイプ１２2の末端部の内周面を第２の目盛付パイプ１３2の先端部の外周面に圧着させて、第２の可動取付パイプ１２2を第２の目盛付パイプ１３2に固定できるようにされている。
第１の可動取付パイプ１２1は第２の可動取付パイプ１２2よりも短くされているが、第１および第２の可動取付パイプ１２1，１２2は、両端部が第１および第２の可動取付パイプ１２1，１２2の末端部にそれぞれ取り付けられた第２の連結部材１５2によって、第１および第２の可動取付パイプ１２1，１２2の末端が揃うように連結されている。
【００１６】
第１および第２の目盛付パイプ１３1，１３2の外周面には、取付調整補助装置１０によって地側アークホーン１および線側アークホーン２を把持したときのアークホーン間隔を示す目盛（たとえば、アークホーン間隔が５６０ｍｍ±３０ｍｍを１ｍｍごとに示す目盛Ａ、６５０ｍｍ±３０ｍｍを１ｍｍごとに示す目盛Ｂおよび９８０ｍｍ±３０ｍｍの範囲を１ｍｍごとに示す目盛Ｃ）が記されている。
【００１７】
図２に示すように、第１および第３の把持部材２０1，２０3は地側アークホーン１を把持するためのものであり、第２および第４の把持部材２０2，２０4は線側アークホーン２を把持するためのものである。
【００１８】
第１の把持部材２０1は、第１および第２の目盛付パイプ１３1，１３2と第１および第２の連結部材１５1，１５2とによって囲まれる平面（すなわち、図１の紙面）に対して垂直な軸を回転軸として回転可能なように第１の固定取付パイプ１１1の外周面に取り付けられている。
すなわち、第１の把持部材２０1は、図１（ｂ），（ｃ）に示すように、開閉可能な２つ割りのリング部材を閉じたときに互いに対向するように２つの延長板がこのリング部材の両端にそれぞれ取り付けられた第１の把持本体２１1と、第１の把持本体２１1のリング部材を閉じて地側アークホーン１をこのリング部材に貫通させたのちに第１の把持本体２１1の２つの延長板を圧着させて地側アークホーン１を把持するための第１の蝶ネジ２２1と、第１の把持本体２１1のリング部材が回転可能なように一端がこのリング部材の外周面に取り付けられるとともに他端が第１の固定取付パイプ１１1の外周面に取り付けられた第１の回転軸２３1とを備える。
これにより、図２に示すように地側アークホーン１の長手方向が第１の連結部材１５1の長手方向と平行でなく任意の角度で傾いていても、第１の把持部材２０1によって地側アークホーン１を把持することができる。
【００１９】
第２乃至第４の把持部材２０2〜２０4も第１の把持部材２０1と同様に構成されており、第１および第２の目盛付パイプ１３1，１３2と第１および第２の連結部材１５1，１５2とによって囲まれる平面に対して垂直な軸を回転軸として回転可能なように第１の可動取付パイプ１２1、第２の固定取付パイプ１１2および第２の可動取付パイプ１２2の外周面にそれぞれ取り付けられている。
【００２０】
次に、取付調整補助装置１０の使用方法について、アークホーン間隔が９８２ｍｍとなるように地側アークホーン１および線側アークホーン２を碍子装置１１０（図４参照）に取り付けるときを例として、図３（ａ），（ｂ）を参照して説明する。
【００２１】
作業員は、図３（ａ）に示すように、取付調整補助装置１０の第１および第３の把持部材２０1，２０3によって地側アークホーン１を把持させたのち、線側アークホーン２の先端が地側アークホーン１の先端と揃うように取付調整補助装置１０の第２および第４の把持部材２０1，２０3によって線側アークホーン２を把持させる。
【００２２】
続いて、作業員は、取付調整補助装置１０の第２の連結部材１５2を図３（ｂ）に矢印で示す方向（すなわち、図示左方向）に移動させることにより、第１および第２の可動取付パイプ１２1，１２2の末端が第１および第２の目盛付パイプ１３1，１３2に記された目盛Ｃの９８２ｍｍの線と合うまで第１および第２の可動取付パイプ１２1，１２2を一体的にスライドさせたのち、第１および第２の固定つまみ１４1，１４2を回して第１および第２の可動取付パイプ１２1，１２2を第１および第２の目盛付パイプ１３1，１３2に固定する。
【００２３】
続いて、作業員は、地側支持板３を地側支持部材１１１（図４参照）にボルト１１３を用いて取り付けるとともに、線側支持部板４を線側支持部材１１２（図４参照）にボルト１１３を用いて取り付ける。
【００２４】
続いて、作業員は、取付調整補助装置１０の第１および第３の把持部材２０1，２０3から地側アークホーン１を取り外したのち、第２および第４の把持部材２０1，２０3から線側アークホーン２を取り外す。
【００２５】
これにより、アークホーン間隔＝９８２ｍで地側アークホーン１および線側アークホーン２を碍子装置１１０に取り付けることができる。
【００２６】
以上の説明では、第１乃至第４の把持部材２０1〜２０4によって地側アークホーン１および線側アークホーン２を把持させたが、第１乃至第４の把持部材２０1〜２０4の代わりにベルトなどを第１および第２の固定取付パイプ１１1，１１2と第１および第２の可動取付パイプ１２1，１２2とに取り付けて、ベルトなどで縛って地側アークホーン１および線側アークホーン２を第１および第２の固定取付パイプ１１1，１１2と第１および第２の可動取付パイプ１２1，１２2とに取り付けるようにしてもよい。
【００２７】
また、目盛Ａ〜Ｃが記された第１および第２の目盛付パイプ１３1，１３2を用いたが第１および第２の目盛付パイプ１３1，１３2の代わりに、目盛Ａ〜Ｃが記されていない第１および第２のパイプを用いてもよい。
この場合には、作業員は、地側アークホーン１と線側アークホーン２との間隔（アークホーン間隔）を測定して第１および第２の可動取付パイプ１２1，１２2のスライド量を調整する。
【符号の説明】
【００２８】
１  地側アークホーン
２  線側アークホーン
３  地側支持板
４  線側支持板
１０  取付調整補助装置
１１1，１１2  第１および第２の固定取付パイプ
１２1，１２2  第１および第２の可動取付パイプ
１３1，１３2  第１および第２の目盛付パイプ
１４1，１４2  第１および第２の固定つまみ
１５1，１５2  第１および第２の連結部材
２０1〜２０4  第１乃至第４の把持部材
２１1  第１の把持本体
２２1  第１の蝶ネジ
２３1  第１の回転軸
１１０  碍子装置
１１１  地側支持部材
１１２  線側支持部材
１１３  ボルト
Ａ〜Ｃ  目盛
【図１】
2012095452.tif 000003
【図２】
2012095452.tif 000004
【図３】
2012095452.tif 000005
【図４】
2012095452.tif 000006